(57)【特許請求の範囲】
【請求項１】
第１のデータを管理する第１のデータセンターと、第２のデータを管理する第２のデータセンターとを備え、前記第１のデータセンターは、前記第１のデータが格納される第１のデータベース装置と、この第１のデータベース装置に格納される前記第１のデータを登録又は更新する第１のアプリケーションサーバ部とを有し、前記第２のデータセンターは、前記第２のデータが格納される第２のデータベース装置と、この第２のデータベース装置に格納される前記第２のデータを登録又は更新する第２のアプリケーションサーバ部とを有するデータセンターシステムにおいて、
前記第１のデータベース装置は、
前記第１のデータを格納する第１のデータ領域と、
前記第２のデータセンターが管理する前記第２のデータを同期して格納する第２のデータ領域とを含み、
前記第２のデータベース装置は、
前記第２のデータを格納する第３のデータ領域と、
前記第１のデータセンターが管理する前記第１のデータを同期して格納する第４のデータ領域とを含み、
前記第１のアプリケーションサーバ部は、
前記第２のデータセンターが業務範囲内で正常に稼働している通常状態において、前記第１のデータ領域及び前記第２のデータ領域のうち前記第１のデータ領域のみを参照可能領域として前記第１のデータを登録又は更新する第１の登録更新手段と、
前記第２のデータセンターが業務範囲内で正常に稼働していない非通常状態において、前記第１のデータベース装置の前記第１のデータ領域と前記第２のデータ領域とを結合して参照可能領域とする参照可能領域結合手段とを含み、
前記第２のアプリケーションサーバ部は、
前記通常状態において、前記第３のデータ領域及び前記第４のデータ領域のうち前記第３のデータ領域のみを参照可能領域として前記第２のデータを登録又は更新する第２の登録更新手段を含むと共に、
前記非通常状態が、
前記第２のデータセンターへの業務集中である場合、
前記第１のアプリケーションサーバ部は、前記第１のデータ領域を参照して、前記第１のデータ領域に格納される前記第１のデータを登録又は更新すると共に、前記第２のデータ領域を参照して、前記第２のデータ領域に格納される前記第２のデータを登録又は更新する第１の業務集中登録更新手段を有し、
前記第２のアプリケーションサーバ部は、前記第２のデータ領域のみを参照して、前記第２のデータ領域に格納される前記第２のデータを登録又は更新する第２の業務集中登録更新手段を有することを特徴とするデータセンターシステム。
【発明の詳細な説明】
【技術分野】
【０００１】
本発明は、データセンターが業務範囲内で正常に稼働していない非通常状態において、業務を中断することなく継続できるデータセンターシステムに関する。
【背景技術】
【０００２】
近年、大規模なサーバシステムを備えるデータセンターにおいては、２４時間連続稼働が一般的となり、サービスを停止せずにデータベース装置のメンテナンスを行うことが要求されている。これに対する従来技術として、データベース装置をサービス系とスタンバイ系の２系統に分け、サービス系のデータベース装置をスタンバイ系に複写することにより、予め２つのデータベース装置を整合のとれた状態とし、片方のデータベース装置をメンテナンスで停止させる場合においても、サービス系統の切り替えにより、実質的に中断しないで運用するバックアップシステムが知られている（例えば、特許文献１参照）。
【先行技術文献】
【特許文献】
【０００３】
【特許文献１】特開平６−２５０９０１号公報
【発明の概要】
【発明が解決しようとする課題】
【０００４】
ここで、特許文献１に開示された従来技術では、データセンターが業務範囲内で正常に稼働している通常状態において、スタンバイ系は常に待機状態にある。一方、データセンターが業務範囲内で正常に稼働していない非通常状態、例えばデータセンター内に備えられた機器に障害が生じたり、あるいはデータセンター内に備えられた機器がメンテナンス状態にあるときでなければ、スタンバイ系は動作しない。従って、一般的にサービス系とスタンバイ系は同じ機器構成をしており、サービス環境と同じ機器を使用せずに待機させているので、ハードウェア資源の利用率が低くなっている。なお、データセンターが複数の拠点に配置され、これら複数の拠点で互いに重複しないデータを扱い運用するシステムでは、拠点間で互いに１対１に対応するバックアップ領域を設けてデータベース装置を二重化する仕組みが知られているが、アプリケーションサーバ部の参照先は自拠点のデータベース装置に限定されるので、ハードウェア資源を効率的に利用することが難しくなっている。
【０００５】
本発明は、このような従来技術の実情からなされたもので、その目的は、データセンターが業務範囲内で正常に稼働していない非通常状態において、業務を中断することなく継続しつつハードウェア資源を効率的に利用できるデータセンターシステムを提供することにある。
【課題を解決するための手段】
【０００６】
上記の目的を達成するために、本発明のデータセンターシステムは、第１のデータを管理する第１のデータセンターと、第２のデータを管理する第２のデータセンターとを備え、前記第１のデータセンターは、前記第１のデータが格納される第１のデータベース装置と、この第１のデータベース装置に格納される前記第１のデータを登録又は更新する第１のアプリケーションサーバ部とを有し、前記第２のデータセンターは、前記第２のデータが格納される第２のデータベース装置と、この第２のデータベース装置に格納される前記第２のデータを登録又は更新する第２のアプリケーションサーバ部とを有するデータセンターシステムにおいて、前記第１のデータベース装置は、前記第１のデータを格納する第１のデータ領域と、前記第２のデータセンターが管理する前記第２のデータを同期して格納する第２のデータ領域とを含み、前記第２のデータベース装置は、前記第２のデータを格納する第３のデータ領域と、前記第１のデータセンターが管理する前記第１のデータを同期して格納する第４のデータ領域とを含み、前記第１のアプリケーションサーバ部は、前記第２のデータセンターが業務範囲内で正常に稼働している通常状態において、前記第１のデータ領域及び前記第２のデータ領域のうち前記第１のデータ領域のみを参照可能領域として前記第１のデータを登録又は更新する第１の登録更新手段と、前記第２のデータセンターが業務範囲内で正常に稼働していない非通常状態において、前記第１のデータベース装置の前記第１のデータ領域と前記第２のデータ領域とを結合して参照可能領域とする参照可能領域結合手段とを含み、前記第２のアプリケーションサーバ部は、前記通常状態において、前記第３のデータ領域及び前記第４のデータ領域のうち前記第３のデータ領域のみを参照可能領域として前記第２のデータを登録又は更新する第２の登録更新手段を含むと共に、前記非通常状態が、前記第２のデータセンターへの業務集中である場合、前記第１のアプリケーションサーバ部は、前記第１のデータ領域を参照して、前記第１のデータ領域に格納される前記第１のデータを登録又は更新すると共に、前記第２のデータ領域を参照して、前記第２のデータ領域に格納される前記第２のデータを登録又は更新する第１の業務集中登録更新手段を有し、前記第２のアプリケーションサーバ部は、前記第２のデータ領域のみを参照して、前記第２のデータ領域に格納される前記第２のデータを登録又は更新する第２の業務集中登録更新手段を有することを特徴としている。
【０００７】
このように構成した本発明は、第１のデータベース装置は、第１のデータを格納する第１のデータ領域と、第２のデータセンターが管理する第２のデータ、すなわち他のデータセンターの業務に関するデータを同期して格納する第２のデータ領域とを含み、第２のデータベース装置は、第２のデータを格納する第３のデータ領域と、第１のデータセンターが管理する第１のデータ、すなわち他のデータセンターが管理する第１のデータを同期して格納する第４のデータ領域とを含んでいるので、第２のデータセンターが業務範囲内で正常に稼働している通常状態では、第１の登録更新手段及び第２の登録更新手段によって第１のデータ領域及び第３のデータ領域を利用し、第２のデータセンターが業務範囲内で正常に稼働していない非通常状態では、参照可能領域結合手段によって第２のデータ領域をバックアップとして利用することができる。これにより、非通常状態において、業務を中断することなく継続しつつハードウェア資源を効率的に利用することができる。また、非通常状態が、第２のデータセンターへの業務集中である場合、第１の業務集中登録更新手段及び第２の業務集中登録更新手段によって第２のデータセンターに集中した業務を他のデータセンターである第１のデータセンターに分担することができるので、第２のデータセンターに業務が集中することによって生じるユーザーの負担を軽減することができる。
【発明の効果】
【０００８】
本発明のデータセンターシステムは、第１のデータベース装置は、第１のデータを格納する第１のデータ領域と、第２のデータセンターが管理する第２のデータを同期して格納する第２のデータ領域とを含み、第２のデータベース装置は、第２のデータを格納する第３のデータ領域と、第１のデータセンターが管理する第１のデータを同期して格納する第４のデータ領域とを含んでいる。そして、本発明のデータセンターシステムは、第２のデータセンターが業務範囲内で正常に稼働している通常状態のときには、第１のアプリケーションサーバ部に含まれる第１の登録更新手段及び第２のアプリケーションサーバ部に含まれる第２の登録更新手段によって、第１のデータベース装置の第１のデータ領域及び第２のデータベース装置の第３のデータ領域を利用し、第２のデータセンターが業務範囲内で正常に稼働していない非通常状態のときには、第１のアプリケーションサーバ部に含まれる参照可能領域結合手段によって、第２のデータ領域をバックアップとして利用することができる。これにより、非通常状態において、業務を中断することなく継続しつつハードウェア資源を効率的に利用することができ、従来よりもデータセンターシステムの性能を向上させることができる。また、非通常状態が、第２のデータセンターへの業務集中である場合、第１の業務集中登録更新手段及び第２の業務集中登録更新手段によって第２のデータセンターに集中した業務を他のデータセンターである第１のデータセンターに分担することができるので、第２のデータセンターに業務が集中することによって生じるユーザーの負担を軽減することができる。
【図面の簡単な説明】
【０００９】
【図１】本発明者らが考案したデータセンターシステムの第１参考例の構成を示す図である。
【図２】図１に示す本発明の第１参考例に備えられる各データセンターが配置される地域を示す図である。
【図３】本発明者らが考案した第２参考例の動作を説明する図である。
【図４】本発明者らが考案した第３参考例の動作を説明する図である。
【図５】本実施形態の動作を説明する図である。
【発明を実施するための形態】
【００１０】
以下、本発明に係るデータセンターシステムを実施するための形態を、本発明者らが考案した参考例及び図に基づいて説明する。
［データセンターシステムの第１参考例］
図１に示すように、本発明者らが考案したデータセンターシステムの第１参考例は、第１のデータ、すなわち各自が担当する自データを管理する第１のデータセンター、例えばデータセンター１と、第２のデータ、すなわち自データを管理する第２のデータセンター、例えばデータセンター２と、自データを管理するデータセンター３とを備えている。データセンター１は、自データが格納される第１のデータベース装置、例えばデータベース装置４と、このデータベース装置４に格納される自データを登録又は更新する第１のアプリケーションサーバ部、例えばアプリケーションサーバ部５とを有している。
【００１１】
また、データセンター２は、自データが格納される第２のデータベース装置、例えばデータベース装置７と、このデータベース装置７に格納される自データを登録又は更新する第２のアプリケーションサーバ部、例えばアプリケーションサーバ部８とを有している。データセンター３は、データセンター１と同様に、自データが格納されるデータベース装置１０と、このデータベース装置１０に格納される自データを登録又は更新するアプリケーションサーバ部１１とを有している。
【００１２】
本発明の第１参考例では、データベース装置４は、自データを格納する第１のデータ領域、例えばデータ領域４ａと、データセンター２が管理するデータを同期して格納する第２のデータ領域、例えばデータ領域４ｂと、データセンター３が管理するデータを同期して格納するデータ領域４ｃとを含んでいる。データベース装置７は、自データを格納する第３のデータ領域、例えばデータ領域７ｂと、データセンター１が管理するデータを同期して格納する第４のデータ領域、例えばデータ領域７ａと、データセンター３が管理するデータを同期して格納するデータ領域７ｃとを含んでいる。また、データベース装置１０は、自データを格納するデータ領域１０ｃと、データセンター１が管理するデータを同期して格納するデータ領域１０ａと、データセンター２が管理するデータを同期して格納するデータ領域１０ｂとを含んでいる。
【００１３】
アプリケーションサーバ部５は、データセンター２が業務範囲内で正常に稼働している通常状態において、データ領域４ａ，４ｂのうちデータ領域４ａのみを参照可能領域として自データを登録又は更新する図示しない第１の登録更新手段と、データセンター２が業務範囲内で正常に稼働していない非通常状態において、データベース装置４のデータ領域４ａとデータ領域４ｂとを結合して参照可能領域とする図示しない第１の参照可能領域結合手段とを含んでいる。アプリケーションサーバ部８は、通常状態において、データ領域７ｂ及びデータ領域７ａのうちデータ領域７ｂのみを参照可能領域として自データを登録又は更新する図示しない第２の登録更新手段を含んでいる。
【００１４】
また、アプリケーションサーバ部１１は、アプリケーションサーバ部５と同様に、データセンター２が業務範囲内で正常に稼働している通常状態において、データ領域１０ｃ及びデータ領域１０ｂのうちデータ領域１０ｃのみを参照可能領域として自データを登録又は更新する図示しない第３の登録更新手段と、データセンター２が業務範囲内で正常に稼働していない非通常状態において、データベース装置１０のデータ領域１０ｃとデータ領域１０ｂとを結合して参照可能領域とする図示しない第２の参照可能領域結合手段とを含んでいる。
【００１５】
なお、データセンター１は、アプリケーションサーバ部５がデータベース装置４に格納されるデータを登録又は更新するためのデータ入力を行う操作部６を備えている。同様に、データセンター２は、アプリケーションサーバ部８がデータベース装置７に格納されるデータを登録又は更新するためのデータ入力を行う操作部９を備えており、データセンター３は、アプリケーションサーバ部１１がデータベース装置１０に格納されるデータを登録又は更新するためのデータ入力を行う操作部１２を備えている。そして、データベース装置４、アプリケーションサーバ部５、及び操作部６はそれぞれＬＡＮ（ローカルエリアネットワーク）３０で接続されている。同様に、データベース装置７、アプリケーションサーバ部８、及び操作部９はそれぞれＬＡＮ３０で接続され、データベース装置１０、アプリケーションサーバ部１１、及び操作部１２はそれぞれＬＡＮ３０で接続されている。また、データセンター１，２，３は互いにＷＡＮ（広域ネットワーク）１３で接続されている。
【００１６】
ここで、図２に示すようにデータセンター１，２，３は、地理的に離れた箇所に設置される。具体的には、データセンター１，２，３は、日本全国の複数拠点Ａ，Ｂ，Ｃへ配置されている。各拠点Ａ，Ｂ，Ｃの場所は、１拠点の地域で発生した広域災害等によって、全てのデータセンター１，２，３の機能が停止することがないように全国に点在配置されている。なお、データ領域４ａ，７ｂ，１０ｃには、通常状態において、各データセンター１，２，３、すなわち拠点Ａ，Ｂ，Ｃが担当する業務に関する自データがそれぞれ格納されている。
【００１７】
また、データベース装置４，７，１０間におけるデータの同期により、データ領域７ａ，１０ａにはデータセンター１、すなわち拠点Ａが担当する業務に関するデータが格納され、データ領域４ｂ，１０ｂにはデータセンター２、すなわち拠点Ｂが担当する業務に関するデータが格納され、データ領域４ｃ，７ｃにはデータセンター３、すなわち拠点Ｃが担当する業務に関するデータが格納される。
【００１８】
図１に示すように、本発明の第１参考例では、通常状態において、アプリケーションサーバ部５は、データ領域４ａ，４ｂ，４ｃのうち、データ領域４ａのみを参照可能領域として、データ領域４ａに格納されるデータの登録又は更新を実行する。さらに、アプリケーションサーバ部５は、広域ネットワーク（ＷＡＮ）１３を介して、データ領域４ｂ，４ｃに格納されるデータを定期的にそれぞれ別のデータセンター２，３のデータ領域７ｂ，１０ｃに格納されるデータと同期させる。すなわち、データベース装置４のデータ領域４ａは、データの参照、登録又は更新が可能なアクティブ状態（以下、サービス系と呼ぶ）であり、データ領域４ｂ，４ｃは他のデータセンター２，３とデータを同期するだけの待機状態（以下、スタンバイ系と呼ぶ）である。
【００１９】
サービス系とスタンバイ系はアプリケーションサーバ部５からの指令により、データ領域毎に柔軟に切替えることができる。また、スタンバイ系からサービス系に切替えられたデータ領域は、既にサービス系が割り当てられているデータ領域と結合してアプリケーションサーバ部５が参照できる参照可能領域として、アプリケーションサーバ部５によるデータの登録又は更新を可能とする。
【００２０】
操作部６，９，１２は、ユーザーがデータの入力を行うインターフェースであり、主にパーソナルコンピュータ等の端末装置やこれに接続されるキーボード等が適用できる。よって、操作部６はユーザーの人数に比例して複数設けることができる。アプリケーションサーバ部５，８，１１は、操作部６，９，１２で入力したデータの内容をデータベース装置４，７，１０へそれぞれ伝達する。また、アプリケーションサーバ部５は、各データベース装置７，１０へのアクセス管理機能を持っており、接続先を柔軟に変更することができる。これらのデータベース装置４、アプリケーションサーバ部５、操作部６はデータセンター１内のＬＡＮ３０で接続され、さらにＷＡＮ１３で複数拠点に配置される同環境のデータセンター２，３と接続される。
【００２１】
次に、データセンター間におけるデータの同期について、図１を用いて詳細に説明する。
【００２２】
上述したように、データセンター１におけるデータベース装置４において予め設けられているバックアップデータ領域であるデータ領域４ｂ，４ｃは、それぞれ別のデータセンター２，３に配置されるデータベース装置７，１０における自データ領域７ｂ，１０ｃと１対１に対応する。さらに、データベース装置７，１０においても同様に、データベース装置に予め設けられるバックアップデータ領域７ａ，７ｃ，１０ａ，１０ｂは別のデータセンターに配置されるデータベース装置の自データ領域４ａ，１０ｃ，４ａ，７ｂとそれぞれ１対１に対応する。また、各データセンター１，２，３の自データ領域４ａ，７ｂ，１０ｃはサービス系として、各アプリケーションサーバ部５，８，１１からのデータの参照、登録又は更新が可能である。
【００２３】
各データセンター１，２，３のデータベース装置４，７，１０は、サービス系のデータ領域４ａ，７ｂ，１０ｃに対してデータの登録又は更新が行われた場合、接続するＷＡＮ１３を経由し、別のデータセンターに割り当てられたバックアップデータ領域に対してデータの同期を行う。例えば、データセンター１の操作部６からユーザーによりデータ登録又は更新のためのデータ入力がなされた場合、アプリケーションサーバ部５は自データ領域４ａに対してデータの登録又は更新を行う。データ登録後又は更新後、データベース装置４は別のデータベース装置７，１０におけるバックアップデータ領域７ａ，１０ａに対して、ＷＡＮ１３を介して、変更データを配信し、データ領域４ａに格納される自データとデータ領域７ａ，１０ａに格納されるデータとを同期させる。同様に、データベース装置４における別のデータセンター２，３のバックアップデータ領域４ｂ，４ｃには、データ領域７ｂ，１０ｃから変更データが配信されるが、通常はアプリケーションサーバ部５による直接のデータ変更は行わず、スタンバイ状態で待機している。
【００２４】
各々のデータセンターに割り当てられる自データ領域と別のデータセンターに割り当てられたバックアップデータ領域のデータ変更がそれぞれ行われた場合、データ変更後の同期を双方向に可能とする。例えば、データ領域４ａのバックアップ領域７ａをサービス系に割り当てると、データ領域７ａを、既にサービス系が割り当てられているデータ領域７ｂと結合して参照可能領域とし、アプリケーションサーバ部８からのデータの更新を可能とする。ここで、操作部６からユーザーによりデータ変更が加えられた場合、上記のようにデータ領域４ａに格納されるデータとデータ領域７ａに格納されるデータとを同期する。他方、操作部９から拠点Ａ、すなわちデータセンター１の担当業務に関するデータの登録又は更新のためのデータ入力がなされた場合、アプリケーションサーバ部８はデータ領域７ａに対してデータの登録又は更新を行う。データベース装置７はデータベース装置４，１０のデータ領域４ａ，１０ａに対して、データ領域７ａにおける変更データを配信し同期する。
【００２５】
このように構成した本発明の第１参考例によれば、データベース装置４は、自データを格納するデータ領域４ａと、データセンター２が管理するデータ、すなわち他のデータセンター２の業務に関するデータを同期して格納するデータ領域４ｂと、データセンター３が管理するデータ、すなわち他のデータセンター３の業務に関するデータを同期して格納するデータ領域４ｃとを含み、データベース装置７は、自データを格納するデータ領域７ｂと、データセンター１が管理するデータ、すなわち他のデータセンター１が管理するデータを同期して格納するデータ領域７ａと、データセンター３が管理するデータ、すなわち他のデータセンター３の業務に関するデータを同期して格納するデータ領域７ｃとを含んでいるので、データセンター２が業務範囲内で正常に稼働している通常状態では、アプリケーションサーバ部５の第１の登録更新手段及びアプリケーションサーバ部８の第２の登録更新手段によってデータ領域４ａ及びデータ領域７ｂを利用し、データセンター２が業務範囲内で正常に稼働していない非通常状態では、アプリケーションサーバ部５の第１の参照可能領域結合手段によってデータ領域７ｂをバックアップとして利用することができる。これにより、非通常状態において、業務を中断することなく継続しつつハードウェア資源を効率的に利用することができ、データセンターシステムの性能を向上させることができる。
【００２６】
また、本発明の第１参考例は、データベース装置４と同様に、データベース装置１０は、自データを格納するデータ領域１０ｃと、データセンター１が管理するデータ、すなわち他のデータセンター１が管理するデータを同期して格納するデータ領域１０ａと、データセンター２が管理するデータ、すなわち他のデータセンター２が管理するデータを同期して格納するデータ領域１０ｂとを含んでいるので、データセンター２が業務範囲内で正常に稼働している通常状態では、アプリケーションサーバ部１１の第３の登録更新手段及びアプリケーションサーバ部８の第２の登録更新手段によってデータ領域１０ｃ及びデータ領域７ｂを利用し、データセンター２が業務範囲内で正常に稼働していない非通常状態では、アプリケーションサーバ部１１の第２の参照可能領域結合手段によってデータ領域１０ｂをバックアップとして利用することができる。
［データセンターシステムの第２参考例］
図３は本発明者らが考案した第２参考例の動作を説明する図である。
【００２７】
図３に示すように、本発明者らが考案したデータセンターシステムの第２参考例が前述した第１参考例と異なるのは、非通常状態が、データセンター２の機能が停止している状態である場合に、アプリケーションサーバ部５は、データベース装置４のデータ領域４ａを参照して、このデータ領域４ａに格納されるデータを登録又は更新すると共に、データベース装置４のデータ領域４ｂを参照して、このデータ領域４ｂに格納されるデータを登録又は更新する図示しない第１の機能停止状態登録更新手段を有することである。さらに、本発明の第２参考例では、非通常状態が、データセンター２の機能が停止している状態である場合に、アプリケーションサーバ部１１は、データベース装置１０のデータ領域１０ｃを参照して、このデータ領域１０ｃに格納されるデータを登録又は更新すると共に、データベース装置１０のデータ領域１０ｂを参照して、このデータ領域１０ｂに格納されるデータを登録又は更新する図示しない第２の機能停止状態登録更新手段を有している。その他の構成は第１参考例と同じである。
【００２８】
ここで、図３におけるデータセンター２の機能が停止した状態とは、例えば天災等の広域災害がデータセンター２の拠点Ｂ（図２参照）の周辺で発生したため、操作部９、アプリケーションサーバ部８及びデータベース装置７が機能しなくなり、データセンター２が担当する業務処理を行えなくなった場合である。なお、図３〜５においては、操作部６，９，１２でデータ入力を行うユーザー１７，１８，１９を各拠点に５人ずつ配置する。また、図３〜５における矢印１４，１５，１６，２０，２１，２２，２３，２４はアプリケーションサーバ部のデータベース装置への接続先を示している。
【００２９】
図３に示すように、通常状態からデータセンター２の機能が停止した状態となった場合、データセンター１では、データセンター２のバックアップデータ領域４ｂを、スタンバイ系からサービス系に切り替えてデータの登録又は更新を可能とする。すなわち、データ領域４ｂを自データ領域４ａと結合して参照可能領域とする。これにより、アプリケーションサーバ部５は、データ領域４ａのデータ登録又は更新を継続して実行すると共に、ユーザー１７によりデータセンター２、すなわち拠点Ｂの担当業務に関するデータが操作部６から入力されると、データ領域４ｂを参照して、データ領域４ｂに格納されるデータを登録又は更新する。すなわち、矢印２０に示すように、データセンター２のユーザー１８が担当していた業務をデータセンター１のユーザー１７へ引き継ぐことができる。
【００３０】
また、必要に応じ、データセンター３でもデータ領域１０ｂをサービス系に切り替えてデータを更新可能とし、自データ領域１０ｃと結合して参照可能領域とすることにより、矢印２１に示すように、アプリケーションサーバ部１１はデータセンター２，３それぞれのデータ領域のデータ登録又は更新が可能となり、データセンター２のユーザー１８が担当していた業務をデータセンター３のユーザー１９へ引き継ぐことができる。なお、図３においては、データセンター２の機能が停止した状態である場合としたが、データセンター１，３の機能が停止した状態である場合でも、同様に機能が停止したデータセンターの業務をバックアップすることができる。
【００３１】
このように構成した本発明の第２参考例によれば、非通常状態が、データセンター２の機能が停止している状態である場合には、アプリケーションサーバ部５の第１の機能停止状態登録更新手段によってデータセンター１は、データベース装置４を利用してデータセンター１の業務を継続実行しながら、他のデータセンターである機能停止したデータセンター２の業務を引き継いでバックアップすることができる。また、本発明の第２参考例では、非通常状態が、データセンター２の機能が停止している状態である場合には、アプリケーションサーバ部５と同様に、アプリケーションサーバ部１１の第２の機能停止状態登録更新手段によってデータセンター３は、データベース装置１０を利用してデータセンター３の業務を継続実行しながら、他のデータセンターである機能停止したデータセンター２の業務を引き継いでバックアップすることができる。
［データセンターシステムの第３参考例］
図４は本発明者らが考案した第３参考例の動作を説明する図である。
【００３２】
図４に示すように、本発明者らが考案したデータセンターシステムの第３参考例が前述した第１参考例と異なるのは、非通常状態が、データベース装置７のメンテナンス状態である場合に、アプリケーションサーバ部５は、データ領域４ａのみを参照して、データ領域４ａに格納されるデータを登録又は更新する図示しない第１のメンテナンス状態登録更新手段を有し、アプリケーションサーバ部８は、データ領域４ｂを参照して、データ領域４ｂに格納されるデータを登録又は更新する図示しない第２のメンテナンス状態登録更新手段を有することである。
【００３３】
また、本発明の第３参考例は、データベース装置７がメンテナンス状態から通常状態に復帰するとき、データ領域４ａに格納されたデータとデータ領域７ａに格納されたデータとを同期させると共に、データ領域４ｂに格納されたデータとデータ領域７ｂに格納されたデータとを同期させる図示しないデータ同期手段を有している。その他の構成は第１参考例と同じである。
【００３４】
本発明の第３参考例では、図４に示すようにデータベース装置７が通常状態からメンテナンス状態となる場合、データベース装置７のメンテナンス開始前にデータセンター１のデータ領域４ｂを予めスタンバイ系からサービス系に切替える。すなわち、データ領域４ｂを自データ領域４ａと結合して参照可能領域とする。その後、矢印２２に示すように、アプリケーションサーバ部８の参照先をデータセンター１のデータ領域４ｂに切替える。これにより、データセンター２のアプリケーションサーバ部８は、ユーザー１８によりデータセンター２、すなわち拠点Ｂの担当業務に関するデータが操作部９から入力されると、データセンター１のデータ領域４ｂを参照して、データ領域４ｂに格納されるデータを登録又は更新する。この時、データセンター１のアプリケーションサーバ部５は、通常状態から継続して、ユーザー１７によりデータセンター１、すなわち拠点Ａの担当業務に関するデータが操作部６から入力されるとデータ領域４ａ，４ｂ，４ｃのうち、データ領域４ａのみを参照して、データ領域４ａに格納されるデータを登録又は更新する。
【００３５】
このように構成した本発明の第３参考例によれば、データベース装置７が通常状態においてデータ領域７ｂとデータ領域４ｂは双方向にデータを同期しているので、この段階でデータベース装置７はいつでもメンテナンス可能な状態である。アプリケーションサーバ部８の接続先は、２系統のアプリケーションサーバ部で１台ずつ切替えるため、データベース装置７にアクセス中に接続先が切り替わることはなく、ユーザー１８は実質的に自拠点が担当する業務を停止することなく運用することができる。また、ユーザー１８がデータ領域４ｂに対してデータの更新を加えた場合、データセンター３のデータ領域１０ｂへ変更データを配信し、データを同期させる。さらに、データベース装置７のメンテナンスが終了した後、ＷＡＮ１３へ接続することにより、データセンター１，３からメンテナンス終了後のデータベース装置７におけるデータ領域７ａ，７ｂ，７ｃに対する変更データの配信を開始し、即座にデータの同期をとる。そして、データの同期完了後、矢印１５に示すように、アプリケーションサーバ部８の接続先をデータ領域７ｂへ戻すことにより、ユーザー１８の業務に影響を与えることなくデータベース装置７のメンテナンスを終了することができる。
【００３６】
このように、非通常状態が、データベース装置７のメンテナンス状態である場合、第１のメンテナンス状態登録更新手段及び第２のメンテナンス状態登録更新手段によってデータセンター２が他のデータセンターであるデータセンター１のデータベース装置４を用いて、担当業務を継続実行することができる。また、データベース装置７がメンテナンス状態から通常状態に復帰する場合には、データ同期手段によってユーザー１８がデータセンター２において操作する前にデータベース装置７におけるデータ領域７ｂ及びデータ領域７ａ，７ｃがメンテナンス中に登録または更新された各データに更新されるので、データセンター２において操作するユーザー１８の業務に影響を与えることなくデータベース装置７のメンテナンスを終了することができる。これにより、本発明の第３参考例は、データの同期完了後にアプリケーションサーバ部の参照先を切替えることが可能となるので、メンテナンスの時間を考慮することなくメンテナンス作業を実施することができる。
［データセンターシステムの本実施形態］
図５は本実施形態の動作を説明する図である。
【００３７】
図５に示すように、本発明に係るデータセンターシステムの一実施形態が前述した第１参考例と異なるのは、非通常状態が、データセンター２への業務集中である場合、アプリケーションサーバ部５は、データ領域４ａを参照して、データ領域４ａに格納されるデータを登録又は更新すると共に、データ領域４ｂを参照して、データ領域４ｂに格納されるデータを登録又は更新する図示しない第１の業務集中登録更新手段を有し、アプリケーションサーバ部８は、データ領域４ｂのみを参照して、データ領域４ｂに格納されるデータを登録又は更新する図示しない第２の業務集中登録更新手段を有することである。さらに、本実施形態は、非通常状態が、データセンター２への業務集中である場合、アプリケーションサーバ部１１は、データ領域１０ｃを参照して、データ領域１０ｃに格納されるデータを登録又は更新すると共に、データ領域１０ｂを参照して、データ領域１０ｂに格納されるデータを登録又は更新する図示しない第３の業務集中登録更新手段を有し、アプリケーションサーバ部８は、データ領域１０ｂのみを参照して、データ領域１０ｂに格納されるデータを登録又は更新する図示しない第４の業務集中登録更新手段を有している。その他の構成は第１参考例と同じである。
【００３８】
ここで、データセンター２への業務集中による負担とは、例えば受電業務の登録システムにおいて、特定の拠点に受電業務が集中する場合や拠点毎の受電人数比の偏りにより、受電者が不足した状態を示す。図５に示すように、ユーザー１８が自データセンター２内で業務集中による負担を補えない場合、データセンター１では、業務集中による負担が発生しているデータセンター２の自データ領域７ｂと同期するデータ領域４ｂをスタンバイ系からサービス系に切替える。すなわち、データ領域４ｂに格納されるデータを登録又は更新する。このとき、アプリケーションサーバ部５は、通常状態から継続して、ユーザー１７により自データセンター１、すなわち拠点Ａの担当業務に関するデータが操作部６から入力されるとデータ領域４ａを参照して、データ領域４ａに格納されるデータを登録又は更新する。
【００３９】
このように構成した本実施形態によれば、ユーザー１７は、通常状態においてデータセンター１、すなわち拠点Ａの担当業務を継続する人員とデータセンター２、すなわち拠点Ｂの担当業務を応援する人員で業務分担を行う。そして、アプリケーションサーバ部５は、矢印１４に示すようにデータセンター１の担当業務を継続する人員にはデータ領域４ａにアクセスさせ、矢印２３に示すようにデータセンター２の担当業務を応援する人員にはデータ領域４ｂにアクセスさせることにより、データセンター１、すなわち拠点Ａにより、業務集中による負担が発生しているデータセンター２、すなわち拠点Ｂの業務集中による負担を補うことができる。
【００４０】
また、データセンター１だけでは、業務集中による負担を補えない場合、データセンター３においても同様に自データ領域１０ｃと業務集中による負担が発生しているデータセンター２のデータ領域７ｂと同期するデータ領域１０ｂとを結合して参照可能領域とし、データセンター３のアプリケーションサーバ部１１が、ユーザー１９によりデータセンター２、すなわち拠点Ｂの担当業務に関するデータが操作部１２から入力されるとデータセンター３のデータ領域１０ｂを参照して、データ領域１０ｂに格納されるデータを登録又は更新する。このとき、本実施形態は、ユーザー１９において、データセンター３の担当業務を継続する人員と、データセンター２の担当業務を応援する人員とに業務分担を行う。そして、アプリケーションサーバ部１１は、矢印１６に示すように、データセンター３の担当業務を継続する人員にはデータ領域１０ｃにアクセスさせ、矢印２４に示すように、データセンター２の担当業務を応援する人員にはデータ領域１０ｂにアクセスさせることにより、データセンター３、すなわち拠点Ｃにおいて、業務集中による負担が発生しているデータセンター２、すなわち拠点Ｂの業務集中による負担を補うことができる。
【００４１】
このように、本実施形態は、非通常状態が、データセンター２への業務集中である場合、第１〜４の業務集中登録更新手段によってデータセンター２に集中した業務を他のデータセンターであるデータセンター１及びデータセンター３の少なくとも一方に分担することができるので、データセンター２に業務が集中することによって生じるユーザー１８の負担を軽減することができる。
【００４２】
なお、本発明の第１〜３参考例、及び本実施形態では、データセンターが３箇所に設置されている場合について説明したが、この場合に限らず、データセンターは２箇所あるいは４箇所以上の複数箇所に設置されていても良い。
【符号の説明】
【００４３】
１，２，３  データセンター
４，７，１０  データベース装置
５，８，１１  アプリケーションサーバ部
６，９，１２  操作部
１３  広域ネットワーク（ＷＡＮ）
３０  ローカルエリアネットワーク（ＬＡＮ）
【図１】
0005492028.tif 000002
【図３】
0005492028.tif 000003
【図４】
0005492028.tif 000004
【図５】
0005492028.tif 000005
【図２】
0005492028.tif 000006